(57)【要約】【課題】ランプのガラスバルブの応力を軽減しガラスバルブの破断の虞を低減できる照明装置を提供する。【解決手段】一対の電極６ｅ，６ｆを封入したガラスバルブ６ｄ、このバルブの軸方向両端に配設されて一対の電極に電気的に接続された一対の口金６ｉ，６ｊを有するメタルハライドランプ６と；一対の口金を支持し固定する一対のソケットケース８ａ，９ａおよびこれらソケットケース８ａ，９ａに配設されて口金にその軸方向移動可能に接触して電気的に持続される給電部を有する一対のソケット８，９と；これら一対のソケットを支持する一対の支持アーム１１，１２およびこれら支持アームの一方１２を固定し、その他方１１を前記バルブ軸方向に平行な方向に可動可能に取り付ける支持台１５を有するソケット支持装置１０と；点灯装置と；これらを収容する照明装置本体と；を具備している。【選択図】  図１
2011054320.tif 000002
【特許請求の範囲】
【請求項１】
一対の電極を封入したガラスバルブ、このバルブの軸方向両端に配設されて一対の電極に電気的に接続された一対の口金を有する発光管と；
前記一対の口金に対してそれぞれ電気的に持続されて口金を固定する給電部を有する一対のソケットと；
これら一対のソケットをそれぞれ支持する一対のソケット支持部およびこれら一対のソケット支持部の一方を固定し、その他方を前記バルブ軸方向に平行な方向に可動可能に取り付ける支持台を有するソケット支持装置と；
前記一対のソケットの電気接触部に電気的に接続されて発光管を点灯させる点灯装置と；
これら点灯装置、一対のソケット、ソケット支持装置および発光管を収容する装置本体と；
を具備していることを特徴とする照明装置。
【請求項２】
前記ソケット支持装置は、前記支持台に固着された軸横断形状がコ字状のスライドレールを備えており、
このスライドレールは、前記一対のソケット支持部の固定端部と可動端部をコ字状開口端からそれぞれ挿入させる挿入部、この挿入部内で前記固定端部を固定する固定部およびこの挿入部内で前記可動端部をバルブ軸方向に摺動可能に支持する摺動部を有することを特徴とする請求項１記載の照明装置。
【請求項３】
装置本体には発光管と焦点との位置関係に応じて配光特性を可変に調整する光学手段が設けられており、
前記支持台は、前記照明装置本体に、バルブ軸に直交する方向に移動可能に配設されていることを特徴とする請求項１または２記載の照明装置。
【発明の詳細な説明】
【技術分野】
【０００１】
本発明は、ガラスバルブの軸方向両端に口金を配設したダブルエンド形の発光管を光源として用いたスポットライト等の照明装置に関する。
【背景技術】
【０００２】
従来、この種のスポットライトの一例としては、発光効率が良好で演色性のあるダブルエンド形のメタルハライドランプを光源として用いたエフェクトスポットライトが知られている（例えば、特許文献１参照）。
【０００３】
この特許文献１では、ダブルエンド形のメタルハライドランプの軸方向両端を固定具により固定している点が図示されている。
【先行技術文献】
【特許文献】
【０００４】
【特許文献１】特開平２−９４２０１号公報
【発明の概要】
【発明が解決しようとする課題】
【０００５】
しかしながら、上記特許文献１記載のものでは、ダブルエンド型のメタルハライドランプの両端を受け金具により固定しているので、メタルハライドランプが破断ないし破損する虞があった。
【０００６】
すなわち、メタルハライドランプの点灯時、そのランプの発熱によりランプ自体と受け金具は共に熱膨張する。一方、ランプの消灯時には、ランプの降温により共に収縮する。しかし、金属製の受け金具よりもランプ側のガラスバルブの方が熱膨張率が大きいという相違がある。
【０００７】
このために、ランプのガラスバルブは、ランプの点灯時にバルブ長手方向に引っ張られることに伴い、常に応力（ストレス）を受けている。したがって、この応力が何らかの理由によりガラスバルブの応力限界値を超えた場合には、ガラスバルブが破断ないし破損する虞があった。
【０００８】
本発明はこのような事情を考慮してなされたもので、発光管のガラスバルブの応力を軽減しガラスバルブの破断の虞を低減できる照明装置を提供することを目的とする。
【課題を解決するための手段】
【０００９】
請求項１に係る照明装置は、一対の電極を封入したガラスバルブ、このバルブの軸方向両端に配設されて一対の電極に電気的に接続された一対の口金を有する発光管と；前記一対の口金に対してそれぞれ電気的に持続されて口金を固定する給電部を有する一対のソケットと；これら一対のソケットをそれぞれ支持する一対のソケット支持部およびこれら一対のソケット支持部の一方を固定し、その他方を前記バルブ軸方向に平行な方向に可動可能に取り付ける支持台を有するソケット支持装置と；前記一対のソケットの電気接触部に電気的に接続されて発光管を点灯させる点灯装置と；これら点灯装置、一対のソケット、ソケット支持装置および発光管を収容する装置本体と；を具備していることを特徴とする。
【００１０】
請求項１以下において、発光管としては、例えばダブルエンド形のメタルハライドランプを用いてもよく、ガラスバルブの軸方向両端に口金を配設した発光管であればよい。
【００１１】
請求項２に係る照明装置は、前記ソケット支持装置は、前記支持台に固着された軸横断形状がコ字状のスライドレールを備えており、このスライドレールは、前記一対のソケット支持部の固定端部と可動端部をコ字状開口端からそれぞれ挿入させる挿入部、この挿入部内で前記固定端部を固定する固定部およびこの挿入部内で前記可動端部をバルブ軸方向に摺動可能に支持する摺動部を有することを特徴とする。
【００１２】
請求項３に係る照明装置は、装置本体には発光管と焦点との位置関係に応じて配光特性を可変に調整する光学手段が設けられており、前記支持台は、前記照明装置本体に、バルブ軸に直交する方向に移動可能に配設されていることを特徴とする。
【発明の効果】
【００１３】
請求項１に係る照明装置によれば、発光管の両端の口金に給電する一対のソケットを支持する一対のソケット支持部の一方を固定しているので、発光管の光軸位置を固定することができる。
【００１４】
また、発光管の点，消灯による膨張収縮に伴って、一対のソケット支持部の他方の可動端部がバルブ軸方向に平行な方向に移動するので、発光管の応力を低減し、発光管の破断ないし破損を防止または低減できる。
【００１５】
請求項２に係る照明装置によれば、ソケット支持部の可動端部がコ字状のスライドレール内に挿入されて、コ字状に挟持された状態で、その軸方向に摺動するので、その摺動時に、この可動端部が、その軸方向に直交する方向にぶれるのを、防止または低減できる。
【００１６】
請求項３に係る照明装置によれば、支持台をバルブ軸方向に直交する方向に移動させることにより、発光管と焦点との位置を調整して、その配光を適宜調整できる。
【図面の簡単な説明】
【００１７】
【図１】本発明の一実施形態に係る照明装置の要部正面図。
【図２】本発明の一実施形態に係る照明装置の外観正面図。
【図３】本発明の一実施形態に係る照明装置の外観右側面図。
【図４】図１で示すメタルハライドランプの正面図。
【図５】図１で示すメタルハライドランプを取り外した一対のソケットとソケット支持装置の正面図。
【図６】（ａ）は図１で示す一対のソケット受け金具の可動側の平面図、（ｂ）は同，固定側の平面図。
【図７】（ａ）は図６（ａ）のＶＩＩａ−ＶＩＩａ線断面図、（ｂ）は図６（ｂ）のＶＩＩｂ−ＶＩＩｂ線断面図。
【図８】（ａ）は図１，図５で示すスライドレールの正面図、（ｂ）は同，平面図、（ｃ）は同，側面図。
【図９】図１，図５のＩＸ−ＩＸ線断面図。
【図１０】図１，図５のＸ−Ｘ線断面図。
【発明を実施するための形態】
【００１８】
以下、本発明の実施形態を添付図面に基づいて説明する。なお、複数の添付図面中、同一または相当部分には同一符号を付している。
【００１９】
図２は本発明の一実施形態に係る照明装置の外観正面図、図３は同，側面図である。これら図２，図３で示すように照明装置１は、例えば映画やテレビドラマ等の屋外撮影用のロケーション用スポットライト等として好適な照明装置であり、例えばほぼ円筒状の装置本体２を有する。
【００２０】
照明装置１は、装置本体２の前面投光開口端部に、例えば円形の前面ガラス３を配設し、この前面ガラス３の外周部にバンドア４を配設している。また、装置本体２の図２，図３中の下部外面には光源の焦点を調整するための焦点調節ノブ５を配設している。
【００２１】
図１に示すように照明装置１は、装置本体２内に収容される発光管の一例であるダブルエンド形のメタルハライドランプ６、光学手段としての反射鏡７、このメタルハライドランプ６に所要のランプ電力を給電する一対のソケット８，９、この一対のソケット８，９を支持するソケット支持装置１０を具備している。
【００２２】
図４にも示すようにメタルハライドランプ６は、石英ガラス等の透光性ガラスにより回転楕円体状に形成された放電空間部６ａと、その長径方向両端から図中左右方向外方へそれぞれ延出する一対の封止管部６ｂ，６ｃとをプレス成形等により一体に連成して気密容器であるガラスバルブ６ｄを形成している。
【００２３】
放電空間部６ａ内には一対の電極６ｅ，６ｆを所定の電極間距離を置いて対向配置し、これら一対の電極６ｅ，６ｆに同心状に固着された電気導入体であるモリブデン箔等よりなる一対の電極封止部６ｇ，６ｈを各封止管部６ｂ，６ｃ内に挿通させている。各電極封止部６ｇ，６ｈは、各封止管部６ｂ，６ｃ内でピンチシールにより気密に封着されて、一対の口金６ｉ，６ｊの内面に電気的に接続されている。これら口金６ｉ，６ｊは導電性金属製の円筒体により構成され、一対の封止管部６ｂ，６ｃの外周に同心状に外嵌固着されている。これら口金６ｉ，６ｊの外端には、固定具の一例であって、ローレットねじ等からなる締付ノブ６ｋ，６ｌを各口金６ｉ，６ｊ側へ締付け可能に装着している。
【００２４】
そして、ガラスバルブ６ｄ内には所定量の水銀（Ｈｇ）、アルゴン（Ａｒ）等の希ガス、臭化デプロシウムや沃化セシウム等の金属ハロゲン化物を封入している。
【００２５】
図５に示すように一対のソケット８，９は、前面ガラス３側（図５では表面側）に開口するほぼ半円筒状のソケットケース８ａ，９ａを口金支持部として具備している。
【００２６】
ソケットケース８ａ，９ａは例えば弾性と電気絶縁性を有する所要の合成樹脂により、一対の口金６ｉ，６ｊの長さよりも若干長く、その直径とほぼ同径または若干大径の半円筒状に形成されている。ソケットケース８ａ，９ａは、その軸方向両端を開口し、さらに、図５中表面（手前側）に向けて全面的に開口する前面開口部８ｂ，９ｂを形成している。
【００２７】
ソケットケース８ａ，９ａは、その前面開口部８ｂ，９ｂの反対側（図５では裏面側）である底部に、口金６ｉ，６ｊの湾曲面にほぼ適合した湾曲面よりなる給電部８ｃ，９ｃを形成している。これら給電部８ｃ，９ｃは導電性金属により形成されている。口金６ｉ，６ｊがソケットケース８ａ，９ａ内に、その前面開口部８ｂ，９ｂから押し込まれ、挿入されたときに、これら口金６ｉ，６ｊがソケットケース８ａ，９ａにより径方向に軽く弾性的に挟持され、その際に口金６ｉ，６ｊの底部外面が給電部８ｃ，９ｃに面接触して電気的に接続される。これら給電部８ｃ，９ｃは、口金６ｉ，６ｊが軸方向に摺動して変位した場合でも電気的接触が保持されるようになっている。これら給電部８ｃ，９ｃは図示しない点灯回路に図示しないリード線等により電気的に接続されている。点灯回路の一例である図示しないイグナイターは装置本体２内に収容されている。
【００２８】
そして、図１，図５に示すようにこれら一対のソケット８，９は、同心状に対向配置された状態でソケット支持装置１０により支持されている。ソケット支持装置１０は、図６（ａ），（ｂ）、図７（ａ），（ｂ）で示すほぼＬ字状に屈曲形成された金属製帯板状の一対の支持アーム１１，１２を具備している。
【００２９】
図１，図５、図７（ａ），（ｂ）に示すように、一対の支持アーム１１，１２は、図中、垂直方向に延在するアーム本体部１１ａ，１２ａと、これらアーム本体部１１ａ，１２ａの図中下端部において、一旦、ほぼくの字状に屈曲してからさらに図中水平方向に屈曲して外方へ延在するように屈曲形成された屈曲端部１１ｂ，１２ｂと、を具備している。
【００３０】
図６（ａ）に示すように、一方の支持アーム１１は、その屈曲端部１１ｂに、メタルハライドランプ６のガラスバルブ６ｄの軸方向に平行な方向に長い貫通孔の長孔１１ｃを形成している。この長孔１１ｃ内には円筒状のカラー１３が長孔１１ｃの長径方向に摺動可能に直交方向に挿入され、この屈曲端部１１ｂを、後述する可動端部として形成している。
【００３１】
また、図６（ｂ）に示すように他方の支持アーム１２は、その屈曲端部１２ｂに、図１，図５で示す後述する固定側固定ねじ１４のねじ軸部１４ａが挿通する挿通孔１２ｃを形成し、この屈曲端部１２ｂを後述する固定端部として形成している。これら可動側屈曲端部１１ｂと固定側屈曲端部１２ｂは後述するスライドレール１６内へ、そのコ字状の左，右側面開口１６ｃ，１６ｄから挿入される挿入部として形成される。
【００３２】
そして、図１，図５で示すようにソケット支持装置１０は正面形状が台形状の支持台１５を有し、この支持台１５の図中上端上にスライドレール１６を固着している。
【００３３】
図８（ａ）〜（ｃ）に示すようにスライドレール１６は、金属板等により軸横断面（側面）形状がコ字状に形成されている。このために、スライドレール１６は、コ字状開口端である上部開口１６ａと、その反対側の底部１６ｂと、軸方向（長手方向）両端で開口するコ字状の一対の側面開口１６ｃ，１６ｄと、底部１６ｂに形成されたほぼ同径の挿通孔１６ｅ，１６ｆと、を有する。図８（ｂ）中、左側の挿通孔１６ｅは、図１，図５で示す可動側固定ねじ１７のねじ軸部１７ａが挿通する可動側挿通孔として形成され、図８（ｂ）中、右側の挿通孔１６ｆは固定側固定ねじ１４のねじ軸部１４ａが挿通する固定側挿通孔として形成されている。
【００３４】
したがって、図１，図５で示すように一対の支持アーム１１，１２は、その可動側，固定側屈曲端部１１ｂ，１２ｂを、スライドレール１６の内部へ、その左側，右側の側面開口１６ｃ，１６ｄからそれぞれ挿入し、可動側の屈曲端部１１ｂの長孔１１ｃおよび固定側の屈曲端部１２ｂの挿通孔１２ｃを、スライドレール１６の可動側（図８（ｂ）では左側）挿通孔１６ｅおよびこの固定側挿通孔１６ｅとほぼ同径の固定側（図８（ｂ）では右側）の挿通孔１６ｆ上に上下方向でそれぞれ同心状に一致させる。そして、各固定端側のねじ挿通孔１２ｃと挿通孔１６ｅには、直接固定側固定ねじ１４のねじ軸部１４ａを挿通し、支持台１５のねじ孔内にねじ込み、スライドレール１６の一端部を支持台１５上に固着する。
【００３５】
一方、可動側の長孔１１ｃとスライドレール１６の可動側挿通孔１６ｅには、図６（ａ）、図９，図１０に示すようにカラー１３を挿入し、このカラー１３内に可動側固定ねじ１７のねじ軸部１７ａを挿通し、支持台１５のねじ孔内ねじ込み、スライドレール１６の他端部も固定する。
【００３６】
このために、一方の支持アーム１１の可動側の屈曲端部１１ｂは、スライドレール１６内を、その軸方向、すなわちガラスバルブ６ｄのバルブ軸方向に平行な方向に、長孔１１ｃの長さ分摺動し、変位することができる。
【００３７】
そして、このように構成されたソケット支持装置１０は、その支持台１５に、この支持台１５を、図３で示す焦点調節ノブ５の回動操作により、図３で示す装置本体２の軸方向に往復動させることにより、メタルハライドランプ６を図１，図５中、表裏方向へ移動させてメタルハライドランプ６と図示しないフレネルレンズや反射鏡７等から構成された光学手段の焦点との位置を調節させる、図示しない焦点調節機構を設けている。
【００３８】
この焦点調節機構は、図１，図５で示す支持台１５の図中底面に、図中表裏方向（バルブ軸に対して直交する方向）に長い左右一対の走行レール（図示省略）を設け、この走行レールの一方に棒状ギアのラックを一体に設け、このラックに噛み合う図示しないピニオンを、装置本体２内に延在する焦点調節ノブ５の内端部に同心状に固着している。
【００３９】
この照明装置１は、このように構成されているので、メタルハライドランプ６の点，消灯時に、その発熱または降温によりガラスバルブ６ｄが軸方向に膨張または収縮し、一対のソケット８，９がこれに連動してバルブ軸方向に移動（変位）する。すると、その軸方向変位により可動側の支持アーム１１がバルブ軸方向に平行な方向に移動（変位）する。すなわち、ガラスバルブ６ｄの軸方向変位を、ソケット支持装置１０の可動側アーム１１のバルブ軸方向に平行な方向の変位により吸収できるので、ガラスバルブ６ｄの応力を低減できる。このために、ガラスバルブ６ｄの破断ないし破損を未然に防止または抑制することができる。
【００４０】
また、図１０に示すようにソケット支持装置１０は、その可動側支持アーム１１ａの可動側端部１１ｂを、その幅方向両端部とその厚さ方向の上下両面をコ字状のスライドレール１６によりコ字状に挟持した状態で軸方向に摺動可能に支持しているので、この可動側端部１１ｂが摺動時に、その幅方向（左右方向）と厚さ方向（上下方向）にぶれることを防止または低減できる。
【００４１】
さらに、一対のソケット８，９を支持する一対のソケット支持装置１０の一方である固定側の支持アーム１２は支持台１５に固定されているので、メタルハライドランプ６の光軸を固定することができる。
【００４２】
また、焦点調節ノブ５の回動操作によりメタルハライドランプ６の焦点を適宜調節することができる。
【００４３】
なお、上記実施形態では、発光管としてメタルハライドランプを用いた場合について説明したが、本発明はこれに限定されるものではなく、例えばメタルハライドランプ以外のＨＩＤランプでもよく、ガラスバルブの両端部に一対の口金を設けるダブルエンド形の発光管であればよい。
【符号の説明】
【００４４】
１…照明装置、２…照明装置本体、６…メタルハライドランプ（発光管）、６ｄ…ガラスバルブ、６ｅ，６ｆ…一対の電極、６ｉ，６ｊ…一対の口金、６ｋ，６ｌ…一対の締付ノブ（固定具）、８，９…一対のソケット、８ａ，９ａ…ソケットケース、８ｃ，９ｃ…給電部、１０…ソケット支持装置、１１，１２…支持アーム、１１ｂ…屈曲端部（可動端部）、１２ｂ…屈曲端部（固定端部）、１３…カラー、１４…固定側固定ねじ、１５…支持台、１６…スライドレール、１６ｃ，１６ｄ…側面開口、１７…可動側固定ねじ。
【図１】
2011054320.tif 000003
【図２】
2011054320.tif 000004
【図３】
2011054320.tif 000005
【図４】
2011054320.tif 000006
【図５】
2011054320.tif 000007
【図６】
2011054320.tif 000008
【図７】
2011054320.tif 000009
【図８】
2011054320.tif 000010
【図９】
2011054320.tif 000011
【図１０】
2011054320.tif 000012